(57)【要約】【課題】情報端末装置の表示と端末機器との動作状態との不一致を防ぐ。【解決手段】給湯器に情報送受信装置を接続し、この給湯器をＪＥＭＡ（登録商標）機器として情報端末装置に無線通信によって登録する（Ｓ１１）。情報送受信装置は給湯器の動作状態を把握し、その情報を保持しておく。次に、情報端末装置から給湯器に対して機器の動作制御情報が送信されると（Ｓ１２）、その送信された機器の動作制御情報を情報送受信装置が受信する（Ｓ１３）。情報送受信装置では、給湯器の現在の動作状態と送信された動作制御情報とを比較して(Ｓ１４)、動作状態を変える必要があればその動作制御情報を給湯器に送信する(Ｓ１５)。その機器の動作制御情報を受信した給湯器はその情報に従って動作状態を変える(Ｓ１６)。次に、情報送受信装置が給湯器の動作状態を検知し（Ｓ１７）、情報送受信装置から情報端末装置に給湯器の動作状態情報を送信する（Ｓ１８）。【選択図】図４
2007116327.tif 000002
【特許請求の範囲】
【請求項１】
機器との間で情報を送受信する情報送受信装置と、前記機器に関する情報を収集する情報送受信部と前記機器に関する情報を処理する情報処理部とを備えた情報端末装置とからなり、
前記情報端末装置から前記機器の状態を変化させるために、前記情報端末装置から前記情報送受信装置に情報を送信し、前記情報を受信した前記情報送受信装置は前記機器の状態が異なり前記機器の状態を変化させる必要がある時に前記機器に前記情報を送信する情報システム。
【請求項２】
前記情報端末装置から前記機器の状態を変化させるために、前記情報端末装置から前記情報送受信装置に情報を送信し、前記情報を受信した前記情報送受信装置は前記機器の状態が異なり前記機器の状態を変化させる必要がある時に前記機器に前記情報を送信し、
一定時間後に前記情報送受信装置は前記機器の電源入力状態を検知し、前記情報送受信装置から前記情報端末装置に前記機器の情報を送信する請求項１記載の情報システム。
【請求項３】
機器との間で情報を送受信する情報送受信装置と、前記機器に関する情報を収集する情報送受信部と前記機器に関する情報を処理する情報処理部とを備えた情報端末装置とからなり、
前記機器の状態が変化した時、前記情報送受信装置は前記機器の電源入力状態変化を検知し、前記情報送受信装置から前記情報端末装置に前記機器の情報を送信することを特徴とする情報システム。
【請求項４】
機器との間で情報を送受信する情報送受信装置と、前記機器に関する情報を収集する情報送受信部と前記機器に関する情報を処理する情報処理部とを備えた情報端末装置とからなる情報システムの制御方法において、
前記情報端末装置から前記情報送受信装置に情報を送信するステップと、
前記情報を受信した前記情報送受信装置は前記機器の状態を変化させる必要があるか判断するステップと、
前記機器の状態が異なり前記機器の状態を変化させる必要がある時は前記機器に前記情報を送信するステップと、
前記情報送受信装置からの前記情報によって前記機器の状態が変化するステップとを備えてなる制御方法。
【請求項５】
機器との間で情報を送受信する情報送受信装置と、前記機器に関する情報を収集する情報送受信部と前記機器に関する情報を処理する情報処理部とを備えた情報端末装置とからなる情報システムの制御方法において、
前記情報端末装置から前記情報送受信装置に情報を送信するステップと、
前記情報を受信した前記情報送受信装置は前記機器の状態を変化させる必要があるか判断するステップと、
前記機器の状態が異なり前記機器の状態を変化させる必要がある時は前記機器に前記情報を送信するステップと、
前記情報送受信装置からの前記情報によって前記機器の状態が変化するステップと、
一定時間後に前記情報送受信装置が前記機器の電源入力状態を検知するステップと、
前記情報送受信装置から前記情報端末装置に前記機器の情報を送信するステップとを備えてなる制御方法。
【請求項６】
機器との間で情報を送受信する情報送受信装置と、前記機器に関する情報を収集する情報送受信部と前記機器に関する情報を処理する情報処理部とを備えた情報端末装置とからなる情報システムの制御方法において、
前記機器の状態が変化するステップと、
前記情報送受信装置が前記機器の電源入力状態変化を検知するステップと、
前記情報送受信装置から前記情報端末装置に前記機器の情報を送信するステップとを備えてなる制御方法。
【請求項７】
請求項１〜３のいずれか１項記載の情報システムの少なくとも一部をコンピュータに実行させるためのプログラム。
【発明の詳細な説明】
【技術分野】
【０００１】
本発明は、情報端末装置が機器の動作を制御する時に、情報端末装置の表示と機器の動作に関する情報システム、制御方法およびそのプログラムに関するものである。
【背景技術】
【０００２】
従来、情報端末装置から端末機器を制御する時は、インターフェイスユニットから端末機器に信号を送信して、端末機器を制御している。これによって、情報端末装置から操作することによって端末機器を制御することができる。
【０００３】
また、端末機器の制御可能判別方法として、インターフェイスユニットから端末機器に信号を送信し、端末機器はその信号に対して応答信号を送信し、その応答信号があった端末機器のみが制御可能ということである（例えば、特許文献１参照）。これによって、制御可能機器は、信号に対して応答を返すことによって、端末機器自身の存在を表明することができるものである。すなわち、信号を受信してそれに対する応答を返すことによって、情報端末装置から端末機器の制御が可能となるものである。
【特許文献１】特開平６−２７６５７３号公報
【発明の開示】
【発明が解決しようとする課題】
【０００４】
しかしながら、前記従来の構成では、情報端末装置は全ての端末機器に対して信号を送信しないといけないという欠点がある。そのため、制御する必要のない端末機器にまで信号を送信してしまうという課題がある。
【０００５】
また、端末機器は受信した信号に対して、必ず応答を送信しなければいけないという欠点がある。このようにしないと、制御可能機器かどうかを判別できないという課題がある。
【０００６】
さらに、制御する必要のない端末機器に信号を送信したり、制御可能機器かどうかを判別できなかったりした場合、情報端末装置の表示と端末機器との動作とが不一致する可能性があるという課題がある。
【０００７】
本発明は、このような課題を解決するために、機器との間で情報を送受信する情報送受信装置と、前記機器に関する情報を収集する情報送受信部と前記機器に関する情報を処理する情報処理部とを備えた情報端末装置とからなり、前記情報端末装置から前記機器の状態を変化させるために、前記情報端末装置から前記情報送受信装置に情報を送信し、前記情報を受信した前記情報送受信装置は前記機器の状態を変化させる必要がある時に前記機器に前記情報を送信し、一定時間後に前記情報送受信装置は前記機器の状態を検知し、前記情報送受信装置から前記情報端末装置に前記機器の情報を送信することによって、端末機器制御に対する利便性、正確性、信頼性を高めるようにしたものである。
【０００８】
このようにすることによって、機器の状態を変化させる必要があるときのみ、情報送受信装置から機器に信号を送信することができるので、無駄な信号の送受信をしなくてすむことができる。また、一定時間後に情報送受信装置が機器の状態を検知し、情報送受信装置から情報端末装置に機器の情報を送信することができるので、情報端末装置の表示と機器の動作とが不一致になったりすることがない。
【０００９】
さらに、機器の状態が変化した場合、情報送受信装置が機器の状態を検知し、情報送受
信装置から情報端末装置に機器の情報を送信することができるので、情報端末装置の表示と機器の動作とを一致させることができ、機器制御に対する利便性、正確性、信頼性を向上させることができる。
【００１０】
このようにして、本発明は、機器の状態を変化させる必要があるときのみ、情報送受信装置から機器に送信することによって、無駄な信号の送受信をしなくてすむことができ、機器制御に対する利便性、正確性、信頼性を高めることができるようにした情報システム、制御方法およびそのプログラムを提供することを目的とするものである。
【課題を解決するための手段】
【００１１】
前記従来の課題を解決するために、本発明の情報システムは、機器との間で情報を送受信する情報送受信装置と、前記機器に関する情報を収集する情報送受信部と前記機器に関する情報を処理する情報処理部とを備えた情報端末装置とからなり、前記情報端末装置から前記機器の状態を変化させるために、前記情報端末装置から前記情報送受信装置に情報を送信し、前記情報を受信した前記情報送受信装置は前記機器の状態が異なり前記機器の状態を変化させる必要がある時に前記機器に前記情報を送信し、一定時間後に前記情報送受信装置は前記機器の状態を検知し、前記情報送受信装置から前記情報端末装置に前記機器の情報を送信することを特徴とする情報システムを提供するものである。
【００１２】
また、本発明の制御方法は、機器との間で情報を送受信する情報送受信装置と、前記機器に関する情報を収集する情報送受信部と前記機器に関する情報を処理する情報処理部とを備えた情報端末装置とからなる情報システムの制御方法において、前記情報端末装置から前記情報送受信装置に情報を送信するステップと、情報を受信した前記情報送受信装置は前記機器の状態を変化させる必要があるか判断するステップと、前記機器の状態が異なり前記機器の状態を変化させる必要がある時は前記機器に前記情報を送信するステップと、前記情報送受信装置からの前記情報によって前記機器の状態が変化するステップと、一定時間後に前記情報送受信装置が前記機器の状態を検知するステップと、前記情報送受信装置から前記情報端末装置に前記機器の情報を送信するステップとを備えてなる制御方法を提供するものである。
【発明の効果】
【００１３】
以上のように、本発明の情報システム、制御方法およびそのプログラムによれば、機器の状態を変化させる必要があるときのみ、情報送受信装置から機器に信号を送信することができるので、無駄な信号の送受信をしなくてすむことができる。また、一定時間後に情報送受信装置が機器の状態を検知し、情報送受信装置から情報端末装置に機器の状態情報を送信することができるので、情報端末装置の表示と機器の動作とが不一致になったりすることを防ぐことができる。
【００１４】
さらに、機器の状態が変化した場合、情報送受信装置が機器の状態を検知し、情報送受信装置から情報端末装置に機器の状態情報を送信することができるので、情報端末装置の表示と機器の動作とを一致させることができ、機器制御に対する利便性、正確性、信頼性を向上させることができるようにしたものである。
【００１５】
以上のような構成とすることにより、本発明によれば、機器の状態を変化させる必要があるときのみ、情報送受信装置から機器に信号を送信することにより、無駄な信号の送受信をしなくてすむことができるようにしたものである。従って、システムの信頼性を確実に向上させることができるという効果を有するものである。
【発明を実施するための最良の形態】
【００１６】
第１の発明は、機器との間で情報を送受信する情報送受信装置と、前記機器に関する情
報を収集する情報送受信部と前記機器に関する情報を処理する情報処理部とを備えた情報端末装置とからなり、前記情報端末装置から前記機器の状態を変化させるために、前記情報端末装置から前記情報送受信装置に前記情報を送信し、前記情報を受信した前記情報送受信装置は前記機器の状態が異なり前記機器の状態を変化させる必要がある時に前記機器に前記情報を送信するものである。
【００１７】
これによって、本発明は、機器の状態を変化させる必要があるときのみ、情報送受信装置から機器に信号を送信することができるので、無駄な信号の送受信をしなくてすむことができので、正確な機器制御が可能であり、機器制御に対する利便性、正確性、信頼性を高めることができるものである。
【００１８】
第２の発明は、機器との間で情報を送受信する情報送受信装置と、前記機器に関する情報を収集する情報送受信部と前記機器に関する情報を処理する情報処理部とを備えた情報端末装置とからなり、前記情報端末装置から前記機器の状態を変化させるために、前記情報端末装置から前記情報送受信装置に情報を送信し、前記情報を受信した前記情報送受信装置は前記機器の状態を変化させる必要がある時に前記機器に前記情報を送信し、一定時間後に前記情報送受信装置は前記機器の電源入力状態を検知し、前記情報送受信装置から前記情報端末装置に前記機器の情報を送信するものである。
【００１９】
これによって、本発明は、一定時間後に情報送受信装置が機器の状態を検知し、情報送受信装置から情報端末装置に機器の状態情報を送信することができるので、情報端末装置の表示と機器の動作状態とが不一致になったりすることを防ぐことができ、機器制御に対する利便性、正確性、信頼性を高めることができるものである。
【００２０】
第３の発明は、機器との間で情報を送受信する情報送受信装置と、前記機器に関する情報を収集する情報送受信部と前記機器に関する情報を処理する情報処理部とを備えた情報端末装置とからなり、前記機器の状態が変化した時、前記情報送受信装置は前記機器の電源入力状態変化を検知し、前記情報送受信装置から前記情報端末装置に前記機器の情報を送信するものである。
【００２１】
これによって、本発明は、機器の状態が変化した場合、情報送受信装置が機器の状態を検知し、情報送受信装置から情報端末装置に機器の状態情報を送信することができるので、情報端末装置の表示と機器の動作状態とを一致させることができ、機器制御に対する利便性、正確性、信頼性を高めることができるものである。
【００２２】
第４の発明は、機器との間で情報を送受信する情報送受信装置と、前記機器に関する情報を収集する情報送受信部と前記機器に関する情報を処理する情報処理部とを備えた情報端末装置とからなる情報システムの制御方法において、前記情報端末装置から前記情報送受信装置に情報を送信するステップと、前記情報を受信した前記情報送受信装置は前記機器の状態を変化させる必要があるか判断するステップと、前記機器の状態が異なり前記機器の状態を変化させる必要がある時は前記機器に前記情報を送信するステップと、前記情報送受信装置からの前記情報によって前記機器の状態が変化するステップとを備えてなる制御方法を提供するものである。
【００２３】
これによって、本発明は、機器の状態を変化させる必要があるときのみ、情報送受信装置から機器に信号を送信することができるので、無駄な信号の送受信をしなくてすむことができので、正確な機器制御が可能であり、機器制御に対する利便性、正確性、信頼性を高めることができるものである。
【００２４】
第５の発明は、機器との間で情報を送受信する情報送受信装置と、前記機器に関する情
報を収集する情報送受信部と前記機器に関する情報を処理する情報処理部とを備えた情報端末装置とからなる情報システムの制御方法において、前記情報端末装置から前記情報送受信装置に情報を送信するステップと、前記情報を受信した前記情報送受信装置は前記機器の状態を変化させる必要があるか判断するステップと、前記機器の状態を変化させる必要がある時は前記機器に前記情報を送信するステップと、前記情報送受信装置からの前記情報によって前記機器の状態が変化するステップと、一定時間後に前記情報送受信装置が前記機器の電源入力状態を検知するステップと、前記情報送受信装置から前記情報端末装置に前記機器の情報を送信するステップとを備えてなる制御方法を提供するものである。
【００２５】
これによって、本発明は、一定時間後に情報送受信装置が機器の状態を検知し、情報送受信装置から情報端末装置に機器の状態情報を送信することができるので、情報端末装置の表示と機器の動作状態とが不一致になったりすることを防ぐことができ、機器制御に対する利便性、正確性、信頼性を高めることができるものである。
【００２６】
第６の発明は、機器との間で情報を送受信する情報送受信装置と、前記機器に関する情報を収集する情報送受信部と前記機器に関する情報を処理する情報処理部とを備えた情報端末装置とからなる情報システムの制御方法において、前記機器の状態が変化するステップと、前記情報送受信装置が前記機器の電源入力状態変化を検知するステップと、前記情報送受信装置から前記情報端末装置に前記機器の情報を送信するステップとを備えてなる制御方法を提供するものである。
【００２７】
これによって、本発明は、機器の状態が変化した場合、情報送受信装置が機器の状態を検知し、情報送受信装置から情報端末装置に機器の状態情報を送信することができるので、情報端末装置の表示と機器の動作状態とを一致させることができ、機器制御に対する利便性、正確性、信頼性を高めることができるものである。
【００２８】
第７の発明は、第１〜３の発明の情報システムの少なくとも一部をコンピュータに実行させるためのプログラムを提供するものである。
【００２９】
そして、プログラムであるので、電気・情報機器、コンピュータ、サーバ等のハードリソースを協働させて本発明の情報システムの少なくとも一部を容易に実現することができる。また記録媒体に記録したり通信回線を用いてプログラムを配信したりすることでプログラムの配布・更新やそのインストール作業が簡単にできる。
【００３０】
以上のような構成とすることにより、本発明によれば、機器の状態を変化させる必要があるときのみ、情報送受信装置から機器に信号を送信することにより、無駄な信号の送受信をしなくてすむことができ、また、機器の状態が変化した時等に、情報送受信装置が機器の状態を検知し、情報送受信装置から情報端末装置に機器の状態情報を送信することができるので、情報端末装置の表示と機器の動作状態とを一致させることができ、機器制御に対する利便性、正確性、信頼性を高めることができ、システムの信頼性を確実に向上させることができるものである。
【００３１】
以下、本発明の実施の形態について、図面を参照しながら説明する。なお、この実施の形態によって本発明が限定されるものではない。
【００３２】
（実施の形態１）
図１は、本発明の第１の実施の形態における情報システムのシステム全体を概略的に示す構成説明図を示すものである。以下に本実施の形態における構成を説明する。
【００３３】
図１に示す本実施の形態の情報システムは、各家庭１００に設置された機器としてのエ
アコン１５、給湯器１６、照明１７、テレビ１８等を無線通信によって接続した情報端末装置１と、各機器に接続されている情報送受信装置１１〜１４とから成る。情報送受信装置１１〜１４は情報端末装置１および各機器１５〜１８と情報の送受信を行うことができる。
【００３４】
本情報システムは、各機器等１５〜１８と情報端末装置１は無線通信によって接続されており、情報端末装置１は各機器の情報送受信装置１１〜１４に情報の送信を行う。情報送受信装置１１〜１４では各機器の現在の電源のｏｎ／ｏｆｆの状態を把握しており、その動作状態と違う状態になるように情報端末装置１から情報を受信すると、情報送受信装置１１〜１４からその動作状態への制御指令を各機器に送信することができるものである。
【００３５】
まず、エアコン１５が動作していない場合、そのエアコン１５に付随した情報送受信装置１１ではエアコン１５の電源が入っておらず動作していないことを把握しておく。
【００３６】
次に、情報端末装置１からエアコン１５の電源をオンにする指令が送信されると、エアコン１５に付随した情報送受信装置１１ではその情報を受信し、情報送受信装置１１で把握しているエアコン１５の現在の状態、すなわち電源が入っていない状態と異なるので、エアコン１５に対して電源をオンにする指令を送信する。
【００３７】
エアコン１５が動作している場合、そのエアコン１５に付随した情報送受信装置１１ではエアコン１５の電源が入っていて動作していることを把握しているので、情報端末装置１からエアコン１５の電源をオンにする指令が送信されても、エアコン１５に付随した情報送受信装置１１ではすでにエアコン１５の電源はオンという情報があるので、エアコン１５に対して情報を送信することはない。
【００３８】
また、情報端末装置１は外部と接続するための回線接続手段、外部のネットワークである宅外回線網（インターネット回線網）、携帯電話等の外部の通信装置、情報処理サーバ装置と接続されていてもいい。これらと接続することによって、外部から携帯電話等を用いてエアコン等の機器を制御することができる。
【００３９】
次に本実施の形態の情報端末装置１について図面を参照しながら説明する。図２は本発明の第１の実施の形態で用いる情報端末装置１と情報送受信装置３１の機能ブロック図を示すものである。以下に本実施の形態における構成を説明する。
【００４０】
図２に示す本実施の形態の情報端末装置１は、情報処理部２２、情報収集部２３、情報送信部２４、情報送受信部２５、画像表示部２１とから構成されている。本情報端末装置１は、各機器に設置された情報送受信装置３１と無線通信２６によって接続されており、各情報送受信装置からの情報収集を情報収集部２３によって行い、各情報送受信装置へのデータ送信を情報送信部２４によって行う。
【００４１】
また、情報送受信装置３１は、情報処理部３２、情報送信部３３、情報受信部３４、制御情報送受信部３５とから構成されている。本情報送受信装置３１は、情報端末装置からの情報受信を情報受信部３４によって行い、情報端末装置へのデータ送信を情報送信部３３によって行う。さらに、情報送受信装置３１に設置されている各機器に対して制御情報送受信部３５によって接続されており、この制御情報送受信部３５によって機器の制御指令を送信したりする。
【００４２】
次に、本実施の形態の制御方法について図面を参照しながら説明する。図３は同実施の形態に係るシステムの処理手順を示すフローチャートを示すものである。以下に本実施の
形態におけるフローを説明する。
【００４３】
まず、機器としてエアコン１５をリビングルームに設置し、そのエアコン１５に情報送受信装置１１を接続し、このエアコン１５をＪＥＭＡ（登録商標）機器として制御可能なように情報端末装置１に無線通信によって登録する。
【００４４】
登録した後、エアコン１５に接続された情報送受信装置１１は起動を開始する（ステップＳ１）。
【００４５】
情報送受信装置１１は起動した後、エアコン１５の動作状態を把握し、その情報を保持しておく。例えば、エアコン１５が運転していなければ電源オフの情報を情報送受信装置１１は保存しておく。
【００４６】
次に、情報端末装置１からエアコン１５に対して機器の動作制御情報が送信されると（ステップＳ２）、その送信された機器の動作制御情報をエアコン１５に設置された情報送受信装置１１が受信する（ステップＳ３）。
【００４７】
機器の動作制御情報を受信した情報送受信装置１１では、エアコン１５の現在の動作状態と送信された動作制御情報とを比較することによって(ステップＳ４)、動作状態を変える必要があればその動作制御情報をエアコン１５に送信する(ステップＳ５)。
【００４８】
その機器の動作制御情報を受信したエアコン１５はその情報に従って動作状態を変える(ステップＳ６)。
【００４９】
例えば、各機器に接続されている情報送受信装置では各機器の現在の電源のｏｎ／ｏｆｆの状態を把握しており、情報端末装置１からエアコン１５に対して電源オンの制御情報が送信されると、エアコン１５に設置された情報送受信装置１１がその制御情報を受信し、現在のエアコン１５の電源入力動作状態と比較して、現在はエアコン１５の電源はオフであれば、エアコン１５に対して電源オンの制御指令を送信する。
【００５０】
現在のエアコン１５の動作状態がオンの場合に、情報端末装置１からエアコン１５に対して電源オンの制御情報が送信されると、エアコン１５に設置された情報送受信装置１１がその制御情報を受信して、現在のエアコンの電源入力動作状態と比較して同じであるので、エアコン１５に対しては制御情報を送信しない。
【００５１】
すなわち、まず、エアコン１５が動作していない場合、そのエアコン１５に設置された情報送受信装置１１ではエアコン１５の電源が入っていなく動作していないことを把握しておく。次に、情報端末装置１からエアコン１５の電源をオンにする指令が送信されると、エアコン１５に設置された情報送受信装置１１ではその情報を受信し、情報送受信装置１１で把握しているエアコン１５の現在の状態と異なるので、エアコン１５に対して電源をオンにする指令を送信する。
【００５２】
エアコン１５が動作している場合、そのエアコン１５に設置された情報送受信装置１１ではエアコン１５の電源が入っていて動作していることを把握しているので、情報端末装置１からエアコン１５の電源をオンにする指令が送信されても、エアコン１５に設置された情報送受信装置１１ではすでにエアコン１５の電源はオンという情報があるので、エアコン１５に対して情報を送信することはない。
【００５３】
以上のような構成・手順とすることにより、本発明の実施の形態によれば、機器に設置している情報送受信装置は制御情報送受信部によって機器の動作状態を把握しており、情
報端末装置から情報を受信し、機器の状態を変化させる必要があるときのみ、情報送受信装置から機器に信号を送信することができるので、無駄な信号の送受信をしなくてすむことができ、正確な機器制御が可能であり、機器制御に対する利便性、正確性、信頼性を高めることができ、システムの信頼性を確実に向上させることができるものである。
【００５４】
（実施の形態２）
実施の形態２の情報システムについて説明する。以下に本実施の形態における構成を図１と同様に説明する。実施の形態１と同じについては説明を省略する。
【００５５】
一定時間後に情報送受信装置１１〜１４が機器１５〜１８の状態を検知し、情報送受信装置１１〜１４から情報端末装置１に機器の状態情報を送信することができるので、情報端末装置１の表示と機器の動作とが不一致になったりすることを防ぐことができる。
【００５６】
まず、給湯器１６が動作していない場合、その給湯器１６に設置された情報送受信装置１２では給湯器１６が動作していないことを把握しておく。
【００５７】
次に、情報端末装置１から給湯器１６の電源をオンにする指令が送信されると、給湯器１６に設置された情報送受信装置１２ではその情報を受信し、情報送受信装置１２で把握している給湯器１６の現在の状態と異なるので、給湯器１６に対して電源をオンにする指令を送信する。
【００５８】
その後、ある一定時間後に情報送受信装置１２は給湯器１６の電源がｏｎされているかｏｆｆされているか、電源入力状態を検知し、情報送受信装置１２から情報端末装置１に給湯器１６の動作状態情報を送信する。
【００５９】
給湯器１６が動作している場合、その給湯器１６に設置された情報送受信装置１２では給湯器１６の電源が入っており動作していることを把握しているので、情報端末装置１から給湯器１６の電源をオンにする指令が送信されても、給湯器１６に設置された情報送受信装置１２ではすでに給湯器１６の電源はオンという情報があるので、給湯器１６に対して情報を送信することはない。
【００６０】
また、情報端末装置１は外部と接続するための回線接続手段、外部のネットワークである宅外回線網（インターネット回線網）、携帯電話等の外部の通信装置、情報処理サーバ装置と接続されていてもいい。これらと接続することによって、外部から携帯電話等を用いてエアコン等の機器を制御することができる。
【００６１】
次に、本実施の形態の制御方法について図面を参照しながら説明する。図４は同実施の形態に係るシステムの処理手順を示すフローチャートを示すものである。以下に本実施の形態におけるフローを説明する。
【００６２】
まず、機器として給湯器１６を物置に設置し、その給湯器１６に情報送受信装置１２を接続し、この給湯器１６をＪＥＭＡ（登録商標）機器として制御可能なように情報端末装置１に無線通信によって機器登録を行う。
【００６３】
登録した後、給湯器１６に接続された情報送受信装置１２は起動を開始する（ステップＳ１１）。情報送受信装置１２が起動した後、情報送受信装置１２は給湯器１６の動作状態を把握し、その情報を保持しておく。例えば、給湯器１６が運転していなければ電源オフの情報を情報送受信装置１２は保存しておく。
【００６４】
次に、情報端末装置１から給湯器１６に対して機器の動作制御情報が送信されると（ス
テップＳ１２）、その送信された機器の動作制御情報を給湯器１６に設置された情報送受信装置１２が受信する（ステップＳ１３）。
【００６５】
機器の動作制御情報を受信した情報送受信装置１２では、給湯器１６の現在の動作状態と送信された動作制御情報とを比較することによって(ステップＳ１４)、電源入力の動作状態を変える必要があればその動作制御情報を給湯器１６に送信する(ステップＳ１５)。
【００６６】
その機器の動作制御情報を受信した給湯器１６はその情報に従って動作状態を変える(ステップＳ１６)。
【００６７】
次に、例えば１０秒後に情報送受信装置１２が給湯器１６の電源入力動作状態を検知し（ステップＳ１７）、情報送受信装置１２から情報端末装置１に給湯器１６の動作状態情報を送信する（ステップＳ１８）。
【００６８】
例えば、情報端末装置１（図面の番号を文章中に入れてください(T_T)から給湯器１６に対して電源オンの制御情報が送信されると、給湯器１６に設置された情報送受信装置１２がその制御情報を受信し、現在の給湯器１６の動作状態と比較して、現在は給湯器１６の電源はオフであるとすると、給湯器１６に対して電源オンの制御指令を送信する。
【００６９】
さらに、ある一定時間後に情報送受信装置１２は給湯器１６の電源入力の動作状態を検知し、情報送受信装置１２から情報端末装置１に給湯器１６の動作状態情報を送信する。
【００７０】
現在の給湯器１６の動作状態がオンの場合には、情報端末装置１から給湯器１６に対して電源オンの制御情報が送信されると、給湯器１６に設置された情報送受信装置１２がその制御情報を受信して、現在の給湯器１２の動作状態と比較して同じであるので、給湯器１２に対しては制御情報を送信しない。
【００７１】
すなわち、まず、給湯器１６が動作していない場合、その給湯器１６に設置された情報送受信装置１２では給湯器が動作していないことを把握しておく。次に、情報端末装置１から給湯器１６の電源をオンにする指令が送信されると、給湯器１６に設置された情報送受信装置１１ではその情報を受信し、情報送受信装置１１で把握している給湯器１６の現在の状態と異なるので、給湯器１６に対して電源をオンにする指令を送信する。
【００７２】
さらに、ある一定時間後に情報送受信装置１１は給湯器１６の動作状態が電源オンであることを検知し、情報送受信装置か１１ら情報端末装置１に給湯器１６の動作状態情報である電源オンの情報を送信する。
【００７３】
給湯器１６が動作している場合、その給湯器１６に設置された情報送受信装置１２では給湯器１６が動作していることを把握しているので、情報端末装置１から給湯器１６の電源をオンにする指令が送信されても、給湯器１６に設置された情報送受信装置１２ではすでに給湯器１６の電源はオンという情報があるので、給湯器１６に対して情報を送信することはない。
【００７４】
以上のような構成・手順とすることにより、本発明の実施の形態によれば、機器に設置している情報送受信装置は制御情報送受信部によって機器の動作状態を把握しており、情報端末装置から情報を受信し、機器の状態を変化させる必要があるときのみ、情報送受信装置から機器に信号を送信することができるので、無駄な信号の送受信をしなくてすむことができ、正確な機器制御が可能である。
【００７５】
さらに、一定時間後に情報送受信装置が機器の状態を検知し、情報送受信装置から情報
端末装置に機器の動作状態情報を送信することができるので、情報端末装置の表示と機器の動作状態とが不一致になったりすることを防ぐことができ、機器制御に対する利便性、正確性、信頼性を高めることができ、システムの信頼性を確実に向上させることができるものである。
【００７６】
（実施の形態３）
実施の形態３の情報システムについて説明する。以下に本実施の形態における構成を図１と同様に説明する。実施の形態１と同じについては説明を省略する。
【００７７】
ここで別のリモコン２０からも機器の動作制御をすることができるものである。さらに、一定時間後に情報送受信装置１１〜１４が機器１５〜１８の状態を検知し、情報送受信装置１１〜１４から情報端末装置１に機器１５〜１８の状態情報を送信することができるので、情報端末装置１の表示と機器の動作とが不一致になったりすることを防ぐことができる。
【００７８】
まず、照明１７が点灯していない場合、その照明１７に設置された情報送受信装置１３では照明１７が電源が入っておらず点灯していないことを把握している。次に、リモコン２０で照明１７の電源をオンにする。その後、ある一定時間後に情報送受信装置１３は照明１７の電源入力の動作状態を検知し、情報送受信装置１３から情報端末装置１に照明１７の動作状態情報を送信する。
【００７９】
このようにすることによって、情報端末装置１の表示と機器１５〜１８の動作状態とが不一致になったりすることを防ぐことができる。
【００８０】
また、情報端末装置１は外部と接続するための回線接続手段、外部のネットワークである宅外回線網（インターネット回線網）、携帯電話等の外部の通信装置、情報処理サーバ装置と接続されていてもいい。
【００８１】
次に、本実施の形態の制御方法について図面を参照しながら説明する。図５は同実施の形態に係るシステムの処理手順を示す図を示すものである。以下に本実施の形態におけるフローを説明する。
【００８２】
まず、機器としてエアコン１５をリビングルームに設置し、そのエアコン１５に情報送受信装置１１を接続し、このエアコン１１をＪＥＭＡ（登録商標）機器として制御可能なように情報端末装置１に無線通信によって機器登録を行う。
【００８３】
登録した後、エアコン１５に接続された情報送受信装置１１は起動を開始する。情報送受信装置１１が起動した後、情報送受信装置１１はエアコン１５の電源入力の動作状態を把握し、その情報を保持しておく。例えば、エアコン１５が運転していなければ電源オフの情報を情報送受信装置１１は保存しておく。
【００８４】
次に、リモコン２０でエアコン１５の電源オンボタンを押下する（ステップＳ２１）。電源オンボタンを押下すると、リモコンからエアコン１５に電源オンの情報が送信され、エアコン１５は電源をオンにして動作状態となる（ステップＳ２２）。
【００８５】
エアコン１５の電源がオンされ、状態が変化した後、エアコン１５に設置された情報送受信装置１１がエアコン１５の電源入力の動作状態を検知し（ステップＳ２３）、情報送受信装置１１から情報端末装置１にエアコン１５の動作状態情報を送信し(ステップＳ２４)、エアコン１５の動作状態情報を受信した情報端末装置１は画面の表示を変化させることができる。
【００８６】
例えば、リモコン２０からエアコン１５に対して電源オンの制御情報が送信されると、エアコン１５は電源オンの状態となる。その後、ある一定時間後にエアコン１５に設置された情報送受信装置１１はエアコン１５の電源入力の動作状態を検知し、エアコン１５の電源入力の状態変化を確認して、情報送受信装置１１から情報端末装置１にエアコン１５の動作状態情報を送信する。
【００８７】
すなわち、まず、リモコン２０でエアコン１５の電源をオンにすると、ある一定時間後にエアコン１５に設置された情報送受信装置１１はエアコン１５の電源入力の動作状態が変化したことを検知し、情報送受信装置１１から情報端末装置１にエアコン１５の現在の動作状態情報を送信する。このようにすることによって、情報端末装置の表示と機器の動作状態とが不一致になったりすることを防ぐことができる。
【００８８】
以上のような構成・手順とすることにより、本発明の実施の形態によれば、機器の状態が変化した場合、情報送受信装置が機器の状態を検知し、情報送受信装置から情報端末装置に機器の現在の動作状態情報を送信することができるので、情報端末装置の表示と機器の動作状態とを一致させることができ、機器制御に対する利便性、正確性、信頼性を高めることができ、システムの信頼性を確実に向上させることができるものである。
【００８９】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００９０】
以上のように、本発明にかかる情報システム、制御方法、およびそのプログラムは、機器の状態を変化させる必要があるときのみ、情報送受信装置から機器に送信することにより、無駄な信号の送受信をしなくてすむことができるものであり、また、機器の状態が変化した時等に、情報送受信装置が機器の状態を検知し、情報送受信装置から情報端末装置に機器の状態情報を送信することができるので、情報端末装置の表示と機器の動作状態とを一致させることができるようにしたものであり、機器制御に対する利便性、正確性、信頼性を高めることができ、システムの信頼性を確実に向上させることができ、家庭内全てのネットワークシステムに対しても有用である。
【図面の簡単な説明】
【００９１】
【図１】本発明の第1の実施の形態に係る情報システム全体を概略的に示す構成説明図
【図２】同実施の形態で用いる情報端末装置と情報送受信装置の機能ブロック図
【図３】同実施の形態に係るシステムの処理手順を示すフローチャート
【図４】本発明の第２の実施の形態に係るシステムの処理手順を示すフローチャート
【図５】本発明の第３の実施の形態に係るシステムの処理手順を示す図
【符号の説明】
【００９２】
１  情報端末装置
１１〜１４  情報送受信装置
１５  エアコン（機器）
１６  給湯器（機器）
１７  照明（機器）
１８  テレビ（機器）
【図１】
2007116327.tif 000003
【図２】
2007116327.tif 000004
【図３】
2007116327.tif 000005
【図４】
2007116327.tif 000006
【図５】
2007116327.tif 000007